(57)【要約】      （修正有）【課題】紙面にビットマップデータを印字することなく、必要なユーザにのみ音声情報を提供することのできるシールを提供する。【解決手段】一方の面が接着用のシール面であって、他方の面の表面に、所定の読み取り機１２で読み取り可能であって、貼り付けられる書籍に関連する音声情報の識別情報を示すビットマップデータ１１が印字されたシール２である。【選択図】図２
0003134685.tif 000002
【実用新案登録請求の範囲】
【請求項１】
一方の面が接着用のシール面であって、他方の面の表面に、所定の読み取り機で読み取り可能であって、貼り付けられる対象に関連する音声情報の識別情報を示すビットマップデータが印字されたシール。
【請求項２】
前記シールは、シール用台紙に貼り付けられていることを特徴とする請求項１記載のシール。
【請求項３】
前記表面には、前記所定の読み取り機で読み取られることのない情報が印字されていることを特徴とする請求項１記載のシール。
【請求項４】
前記ビットマップデータの印字の色と、前記所定の読み取り機で読み取られることのない情報の印字の色とは異なることを特徴とする請求項３記載のシール。
【請求項５】
前記ビットマップデータの印字の色は、前記所定の読み取り機の赤外線センサーで読み取り可能であることを特徴とする請求項４記載のシール。
【考案の詳細な説明】
【技術分野】
【０００１】
本考案は、シールに関し、特に、書籍に記載された内容に対応するビットマップデータが印刷されたシールに関する。
【背景技術】
【０００２】
従来より、子供用の絵本などにおいては、紙面に読者が認識することができない当該絵本の内容に関連する音声の識別情報を示すビットマップデータを印字し、当該ビットマップデータを所定の読み取り機で読み取り、この読み取られた識別情報に対応する音声情報を出力することにより、紙面にユーザ（読者）が読める形式で印字された絵、文字などの情報以外の情報を提供することが行なわれている。
【考案の開示】
【考案が解決しようとする課題】
【０００３】
しかしながら、通常の絵、文字などの情報に加えて、ユーザが認識することのできないビットマップデータを印刷するには、当然、コストがかかり、結果的に印刷物全体の価格が高価になってしまう。
【０００４】
また、ユーザによっては、紙面に印字された絵、文字などの情報で十分であり、それ以外の情報は必要ないと考える者もおり、このようなユーザにとっては、ビットマップデータ付き印刷物は割高であると考えられる。
【０００５】
本考案は、上記実情に鑑みてなされたものであり、紙面にビットマップデータを印字することなく、必要なユーザにのみ音声情報を提供することを可能とするシールを提供することを目的とする。
【課題を解決するための手段】
【０００６】
本考案は、一方の面が接着用のシール面であって、他方の面の表面に、所定の読み取り機で読み取り可能であって、貼り付けられる対象に関連する音声情報の識別情報を示すビットマップデータが印字されたシール、である。
【０００７】
なお、このようなシールは、シール用台紙に貼り付けられていても良い。また、シールの表面には、所定の読み取り機で読み取られることのない情報が印字されていても良い。
【考案の効果】
【０００８】
本考案によれば、紙面にビットマップデータを印字することなく、必要なユーザにのみ音声情報を提供することを可能とするシールを提供することができる。
【考案を実施するための最良の形態】
【０００９】
以下、図面を参照して、本考案の実施の形態に係るビットマップデータ付きシールについて説明する。
【００１０】
図１は、本考案の実施の形態に係るビットマップデータ付きシールを書籍の頁に貼り付けた様子を示す図である。また、図２はビットマップデータ付きシールの表面に印字されたビットマップデータと、このビットマップデータを読むためのビットマップデータ読み取り機とを示す図である。
【００１１】
図１に示すように、シール用台紙１に貼られた複数のビットマップデータ付きシール２を剥がして、ユーザが書籍３の頁に貼り付ける。ここで、シール用台紙１及びシール２は、書籍３とは別に販売されるので、音声情報を希望するユーザは、書籍３とは別に、別途、ビットマップデータ付きシール２を購入することにより、音声情報を得ることが出来る。
【００１２】
ビットマップデータ付きシール２の裏面は装着用のシール面であって、その表面には、図２に示すように、書籍３に関連する音声情報の識別情報を示すビットマップデータ１１が印字されている。
【００１３】
このビットマップデータ１１は、ビットマップデータ読み取り機１２の赤外線センサ(図示せず）で読み取ることが可能な黒色で印字されており、また、非常に小さいので、ユーザからは認識することは困難である。
【００１４】
ビットマップデータ１１は、ビットマップデータ読み取り機１２に格納されている音声情報の識別情報を表わしている。そして、この識別情報をビットマップデータ読み取り機１２が読み取り、この読み取られた音声情報の識別情報に対応する音声情報がビットマップデータ読み取り機１２から出力される。
【００１５】
ビットマップデータ読み取り機１２に格納される音声情報は、ユーザによりビットマップデータ読み取り機１２に別途インストールされる。なお、ビットマップデータ読み取り機１２は、公知のものであることから（例えば、株式会社今人舎  音筆公式サイト参照  http://www.imajinsha.co.jp/onpitsu/index.html）、ここでは詳述しない。なお、上述のビットマップデータ付きシール２については、ビットマップデータ１１のみを印字した場合について説明したが、これに限られるものではない。
【００１６】
図３は、ビットマップデータ付きシールにビットマップデータに加えて、他の情報を印字した例を示す図である。同図においては、ビットマップデータ付きシール２に「頁３」の情報１２を印字した例を示す。
【００１７】
これにより、ユーザは、当該ビットマップデータ付きシール２を書籍３の３頁に貼れば良いことを認識することができる。なお、ビットマップデータ付きシール２に印字される情報は、頁番号に限らず、音声情報の内容を示す情報であっても良いし、その内容は限定されるものではない。
【００１８】
ここで、ビットマップデータ１１は、上述のように、ビットマップデータ読み取り機１２の赤外線センサ(図示せず）で読み取ることが可能な黒色で印字されているのに対し、情報１２は、赤外線センサで読み取ることができない色で印字されているものとする。
【００１９】
例えば、黒以外の赤、青、黄色、緑などの色であっても良いし、赤外線センサで読み取ることができない程度の擬似的な黒色（例えば、青、赤、黄色の３色でつくった擬似的な黒色）であってもよい。
【００２０】
このように、ビットマップデータ付きシール２上にビットマップデータ読み取り機１２の赤外線センサで読み取ることができない色で情報を印字することにより、当該シール２に付加的な情報を持たせることができる。
【００２１】
したがって、本実施の形態に係る考案によれば、ビットマップデータをシール上に印字することにより、ユーザは予め紙面にビットマップデータが印字された書籍などを購入する必要がなくなり、音声情報が必要なユーザのみが当該シールを購入すればよいので、ユーザのニーズに応じた書籍を提供することができる。
【００２２】
また、ビットマップデータ付きシールに、ビットマップデータ読み取り機によっては読み取ることができない情報を付加することにより、当該シールに音声情報に加えて、さらなる情報をユーザに提供することができる。
【００２３】
なお、本考案は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の考案を形成できる。例えば、実施形態に示される全構成要素から幾つかの構成要素を削除してもよい。さらに、異なる実施形態にわたる構成要素を適宜組み合わせてもよい。
【図面の簡単な説明】
【００２４】
【図１】本考案の実施の形態に係るビットマップデータ付きシールを書籍の頁に貼り付けた様子を示す図である。
【図２】ビットマップデータ付きシールの表面に印字されたビットマップデータと、このビットマップデータを読むためのビットマップデータ読み取り機とを示す図である。
【図３】ビットマップデータ付きシールにビットマップデータに加えて、他の情報を印字した例を示す図である。
【符号の説明】
【００２５】
１…シール用台紙、２…ビットマップデータ付きシール、３…書籍、１１…ビットマップデータ、１２…ビットマップデータ読み取り機。
【図１】
0003134685.tif 000003
【図２】
0003134685.tif 000004
【図３】
0003134685.tif 000005